(57)【要約】【課題】入力した顧客からの預り金額から算出した釣銭の金額が最大貨幣額より大きい場合には、確認メッセージを表示して、オペレータに預り金額の入力に間違いがないかを再確認させ、入力ミスによる釣銭トラブルを未然に防止させるものである。【解決手段】商品データを入力する商品データ入力手段と、売上商品の売上合計金額を演算処理する情報処理手段と、売上合計金額を請求金額として表示する表示手段と、顧客から受け取った支払い代金を預り金として入力する預り金入力手段と、当該顧客の商取引の締めが指令されて、釣銭の演算処理が実行され、その釣銭金額が最大貨幣以上であるか否かを判断する釣銭金額判断手段と、前記釣銭金額判断手段により釣銭金額が最大貨幣以上であると判断されると、オペレータに対して確認メッセージを表示する確認メッセージ表示手段と、この確認メッセージに基づき釣銭金額の適否を選択する選択手段と、を備える。【選択図】図４
2013145482.tif 000002
【特許請求の範囲】
【請求項１】
各売上商品の商品データを入力する商品データ入力手段と、
前記商品データ入力手段で入力された各売上商品の商品データを編集処理するとともに各売上商品の売上合計金額を演算処理する情報処理手段と、
前記情報処理手段で演算処理された売上合計金額を顧客に請求する請求金額として表示する表示手段と、
前記表示手段で表示された請求金額に対する顧客から受け取った支払い代金を預り金として入力する預り金入力手段と、
当該顧客における商取引の締めが指令されて、釣銭の演算処理が実行され、その釣銭金額が最大貨幣以上であるか否かを判断する釣銭金額判断手段と、
前記釣銭金額判断手段により釣銭金額が最大貨幣以上であると判断されると、オペレータに対して確認メッセージを表示する確認メッセージ表示手段と、
前記確認メッセージ表示手段で表示された確認メッセージに基づき釣銭金額の適否を選択する選択手段と
を備える商品販売データ処理装置。
【請求項２】
商品データ入力手段により入力された各売上商品の売上合計金額を情報処理手段で演算処理し、
この演算処理された売上合計金額を顧客に請求する請求金額として表示手段に表示し、
この表示された請求金額に対する顧客から受け取った支払い代金を預り金として預り金入力手段で入力し、
当該顧客における商取引の締めが指令されて釣銭の演算処理が実行され、その釣銭金額が最大貨幣以上であるか否かを釣銭金額判断手段で判断し、
この釣銭金額が最大貨幣以上であると判断されると、オペレータに対して確認のメッセージを確認メッセージ表示手段で表示し、
この確認メッセージに基づき釣銭金額の適否を選択手段で選択することを特徴とする商品販売データ処理装置の会計処理方法。
【発明の詳細な説明】
【技術分野】
【０００１】
本発明の実施形態は商品販売データ処理装置およびその会計処理方法に関する。
【背景技術】
【０００２】
従来、スーパーマーケットなどで使用されるＰＯＳ（Ｐｏｉｎｔ  Ｏｆ
Ｓａｌｅｓ）ターミナル等の商品販売データ処理装置では、現金決済における会計処理を下記の手順で行っている。すなわち、顧客に請求する請求金額を決定し、請求金額を表示部に表示する。次に、顧客からの受取り金額をテンキーから入力し預り金として登録する。そして、預／現計キーを操作して、表示部に預かり金額から請求金額を差し引いた釣銭の金額を表示し、この釣銭を顧客に渡し取引を終了する。しかしながら、この種の装置においては、顧客からの受取り金額をテンキーから入力する際、過大な金額を入力してしまい最大貨幣額（一万円）より大きい釣銭の金額が表示され、入力ミスによる釣銭のトラブルが発生していた。
【先行技術文献】
【特許文献】
【０００３】
【特許文献１】特開平２-７３４９５号公報
【発明の概要】
【発明が解決しようとする課題】
【０００４】
そこで、本発明が解決しようとする課題は、入力した顧客からの預かり金額から算出した釣銭の金額が最大貨幣額より大きい場合には、確認メッセージを表示して、オペレータに預かり金額の入力に間違いがないかを再確認させ、入力ミスによる釣銭トラブルを未然に防止させるものである。
【課題を解決するための手段】
【０００５】
本発明の実施形態における商品販売データ処理装置は、各売上商品の商品データを入力する商品データ入力手段と、前記商品データ入力手段で入力された各売上商品の商品データを編集処理するとともに各売上商品の売上合計金額を演算処理する情報処理手段と、前記情報処理手段で演算処理された売上合計金額を顧客に請求する請求金額として表示する表示手段と、前記表示手段で表示された請求金額に対する顧客から受け取った支払い代金を預り金として入力する預り金入力手段と、当該顧客における商取引の締めが指令されて、釣銭の演算処理が実行され、その釣銭金額が最大貨幣以上であるか否かを判断する釣銭金額判断手段と、前記釣銭金額判断手段により釣銭金額が最大貨幣以上であると判断されると、オペレータに対して確認メッセージを表示する確認メッセージ表示手段と、前記確認メッセージ表示手段で表示された確認メッセージに基づき釣銭金額の適否を選択する選択手段とを備える。
【図面の簡単な説明】
【０００６】
【図１】実施形態の商品販売データ処理装置を概略的に示す外観斜視図。
【図２】同装置のハードウエアの要部構成を示すブロック図。
【図３】同装置のキーボードのキー配置を示す平面図。
【図４】同装置の会計処理を示すフローチャート。
【図５】同装置の確認メッセージを表示する表示器の平面図。
【発明を実施するための形態】
【０００７】
以下、実施形態の商品販売データ処理装置を図面を参照して説明する。なお、この実施形態の商品販売データ処理装置は、スーパーマーケットやコンビニエンスストア等で使用されるＰＯＳ（Ｐｏｉｎｔ  ｏｆ  Ｓａｌｅｓ）端末に適用されている。
【０００８】
図１は、実施形態の商品販売データ処理装置としてのＰＯＳ端末１を概略的に示す外観斜視図である。図１に示すように、ＰＯＳ端末１には、本体２の上面側に商品データ入力手段および預り金入力手段としてのキーボード３が設けられており、本体２の下部側にはドロワ４が引出自在に設けられている。また、本体２の奥側には表示手段および確認メッセージ表示手段としての表示器５が設けられている。この表示器５はオペレータ側表示器５ａと顧客側表示器５ｂとで構成されている。さらに、ＰＯＳ端末１には、商品データ入力手段としてのスキャナ６が接続されており、このスキャナ６が売上商品の商品コード等を光学的に読み取り、ＰＯＳ端末１に売上商品の商品データを入力する。
【０００９】
次に、図２は、ＰＯＳ端末１のハードウエアの要部構成を示すブロック図である。図２に示すように、ＰＯＳ端末１は、装置全体を制御するメイン制御のＣＰＵ（Ｃｅｎｔｒａｌ  Ｐｒｏｃｅｓｓｉｎｇ  Ｕｎｉｔ）１０と、制御プログラム等を格納するＲＯＭ（Ｒｅａｄ  Ｏｎｌｙ  Ｍｅｍｏｒｙ）１１と、各種データを格納するＲＡＭ（Ｒａｎｄｏｍ  Ａｃｃｅｓｓ  Ｍｅｍｏｒｙ）１２等で構成される情報処理手段を保有し、バス１３を介して接続された通信Ｉ／Ｆ８から、ホストコンピュータ（図示せず）との間で相互にオンライン通信を実行し得るように構成されている。  
また、ＣＰＵ１０には、バス１３を介して、前述したキーボード３、ドロワ４、表示器５、スキャナ６とともに、プリンタ７が接続されている。このプリンタ７は、ＰＯＳ端末１の本体２内に内蔵されたレシート／ジャーナルプリンタであり、売上処理に伴い、取引単位でレシート（図示せず）を発行するとともに、並行してジャーナル用紙への印字を行うものである。
【００１０】
図３は、キーボード３のキー配置を示す平面図である。図３に示すように、このキーボード３には、商品コード、販売個数、金額、日時、および顧客からの預り金等を入力するための「０」から「９」までの置数キー３ａ、売上処理において売上合計金額の算出を宣言するための小計キー３ｂ，顧客からの預り金の登録において入力を宣言するための預かりキー３ｃ、一人の顧客に対する登録の締めを指令して預り金額から売上合計金額を減じる釣銭演算を実行させる預／現計キー３ｄ、などの各種キーが設けられている。そして、キーボード３の一部には、本実施形態における特有のキーとして、選択手段として機能する「実行」キー３ｅ１および「戻し」キー３ｅ２が設けられている。この選択手段の機能については、後述で詳細に説明する。
【００１１】
次に、ＰＯＳ端末１の会計処理方法について説明する。なお、本会計処理方法は、現金決済に適用されるものである。図４は、ＰＯＳ端末１の会計処理を示すフローチャートである。
【００１２】
図４に示すように、まず、顧客が持ち込んだ売上商品についてＰＯＳ端末１へ全ての商品データの入力が完了すると、オペレータはキーボード３の小計キー３ｂを押圧操作する。この小計キー３ｂが押圧操作されると、ＣＰＵ１０は、当該取引に係る全ての商品データの入力が完了した判断し、売上商品の合計金額を算出する。そして、ステップＳ１でこの算出した合計金額を顧客に請求する請求金額として決定し、オペレータ側表示器５ａおよび顧客側表示器５ｂにこの請求金額を表示する。
【００１３】
次に、ステップＳ２でオペレータは、顧客から請求金額に対する支払い代金を受け取ると、その金額を預り金として、ＰＯＳ端末１へキーボード３の置数キー３ａにより入力し、キーボード３の預かりキー３ｃを押圧操作して登録する。
【００１４】
次に、ステップＳ３でオペレータがキーボード３の預／現計キー３ｄを押圧操作すると、ＣＰＵ１０は，当該取引における「締め」が宣言されたと判断し、釣銭の演算処理を実行する。そして、ステップＳ４で釣銭演算の結果、釣銭の金額が最大貨幣（１万円）より小さい場合は（ステップＳ４のＮＯ）、ステップＳ８でその釣銭金額をオペレータ側表示器５ａおよび顧客側表示器５ｂにそれぞれ表示する。そして、オペレータはその釣銭とレシートを顧客に渡し、当該取引の会計処理を終了する。
【００１５】
なお、ステップＳ４で釣銭演算の結果、釣銭の金額が最大貨幣（１万円）と同じか、或いは大きい場合は（ステップＳ４のＹＥＳ）、ステップＳ５でオペレータ側表示器５ａに確認メッセージとして、例えば「お釣りが１万円を超えています。これでよろしいですか？」など表示し、オペレータに対して入力した預り金の金額について再確認を促す。そして、オペレータが再確認の結果、この釣銭の金額に問題がなければ（ステップＳ５のＹＥＳ）、ステップＳ６でキーボード３の「実行」キー３ｅ１を押圧操作して、上述したステップＳ８以降の処理を行う。
【００１６】
また、ステップＳ５でオペレータが再確認の結果、この釣銭の金額に問題があれば（ステップＳ５のＮＯ）、ステップＳ７でキーボード３の「戻し」キー３ｅ２を押圧操作して、フローチャートの開始時に戻し、上述したステップＳ１以降の処理を行う。
【００１７】
図５は、ＰＯＳ端末１の確認メッセージを表示する表示器５の平面図である。なお、本実施形態においては、この確認メッセージをオペレータ側表示器５ａのみに表示させたが、顧客側表示器５ｂにも表示させてもよい。
【００１８】
以上、説明したように、本実施形態の商品販売データ処理装置によれば、当該顧客における商取引の締めが指令されて釣銭の演算処理が実行され、入力した顧客からの預り金額から請求金額を減して算出した釣銭の金額が最大貨幣額より大きい場合には、確認メッセージを表示器に表示して、オペレータに預り金額の入力に間違いがないかを再確認させる。すなわち、入力ミスで預り金として過大な金額を入力した場合でも、オペレータに対して確認メッセージによる注意喚起を与えて再確認させることにより、釣銭トラブルを未然に防止させるものである。
【００１９】
本発明の実施形態を説明したが、この実施形態は、例として提示したものであり、発明の範囲を限定することは意図していない。この実施形態は、その他の様々な形態で実施されることが可能であり、発明の趣旨を逸脱しない範囲で、様々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００２０】
１            ＰＯＳ端末（商品販売データ処理装置）
３            キーボード（商品データ入力手段および預り金入力手段）
３ｅ１        実行キー（選択手段）
３ｅ２        戻しキー（選択手段）
５            表示器（表示手段および確認メッセージ表示手段）
５ａ          オペレータ側表示器
５ｂ          顧客側表示器
６            スキャナ（商品データ入力手段）
１０          ＣＰＵ（情報処理手段および釣銭金額判断手段）
１１          ＲＯＭ（情報処理手段）
１２          ＲＡＭ（情報処理手段）
【図１】
2013145482.tif 000003
【図２】
2013145482.tif 000004
【図３】
2013145482.tif 000005
【図４】
2013145482.tif 000006
【図５】
2013145482.tif 000007